(57)【要約】  【課題】  電子写真感光体が大型化されたとしても基体とフランジとの間に発生する擦れや振動を少なくすることが可能な電子写真感光体を提供することを目的とする。  【解決手段】  円筒状基体１０と、円筒状基体１０上に形成された感光層１１と、円筒状基体１０の端部に配置されたフランジ２０とを備える電子写真感光体１であって、円筒状基体１０は、端部にフランジ２０との位置決めを行なうための位置決め部１２を有しており、位置決め部１２は、位置決め面１３ａを有する切欠き部１３と、円筒状基体１０の周方向に移動可能である一対の位置決め面１３ａのそれぞれに当接して円筒状基体１０の周方向に押圧力を加えるための一対の第１押圧部１４と、円筒状基体１０の軸方向に移動可能である、一対の第１押圧部１４のそれぞれに当接して円筒状基体１０の周方向に沿った押圧力を加えるための第２押圧部１５とを有する。【選択図】  図１
2014164229.tif 000002
【特許請求の範囲】
【請求項１】
円筒状基体と、該円筒状基体上に形成された感光層とを備えた、前記円筒状基体の端部にフランジが配置される電子写真感光体であって、
前記円筒状基体は、端部に前記フランジとの位置決めを行なうための位置決め部を有しており、
該位置決め部は、前記円筒状基体の端面から軸方向に沿って延びた一対の対向した位置決め面を有する切欠き部と、周方向に移動可能である、前記一対の位置決め面のそれぞれに当接して前記円筒状基体の周方向に押圧力を加えるための一対の第１押圧部と、前記円筒状基体の軸方向および内周面から外周面に向かう半径方向の少なくとも一方に移動可能である、該一対の第１押圧部のそれぞれに当接して前記円筒状基体の周方向に沿った押圧力を加えるための第２押圧部とを有することを特徴とする電子写真感光体。
【請求項２】
前記一対の第１押圧部のそれぞれは、前記位置決め面に当接する第１主面と、該第１主面の反対側に位置して前記第２押圧部に当接する第２主面とを有し、
前記第２押圧部は、前記円筒状基体の軸方向に沿って移動可能であり、前記第１押圧部のそれぞれの前記第２主面にそれぞれ当接する一対の第３主面を有し、
該第３主面同士の前記円筒状基体の周方向に沿った距離は、前記円筒状基体の端面から軸方向に沿って漸次短くなっていることを特徴とする請求項１に記載の電子写真感光体。
【請求項３】
前記一対の第１押圧部のそれぞれは、前記位置決め面に当接する第１主面と、該第１主面の反対側に位置して前記第２押圧部に当接する第２主面とを有し、
前記第２押圧部は、前記円筒状基体の内周面から外周面に向かう半径方向に沿って移動可能であり、前記第１押圧部のそれぞれの前記第２主面にそれぞれ当接する一対の第３主面を有し、
該一対の第３主面同士の前記円筒状基体の周方向に沿った距離は、前記円筒状基体の半径方向に沿って漸次短くなっていることを特徴とする請求項１に記載の電子写真感光体。
【請求項４】
円筒状基体と、該円筒状基体上に形成された感光層と、前記円筒状基体の端部に配置されたフランジとを備える電子写真感光体であって、
前記円筒状基体は、端面から軸方向に沿って延びた一対の対向した位置決め面を有する切欠き部を有し、
前記フランジは、前記円筒状基体の周方向に移動可能である、前記一対の位置決め面のそれぞれに当接して前記円筒状基体の周方向に沿った押圧力を加えるための一対の第３押圧部と、前記円筒状基体の軸方向および内周面から外周面に向かう半径方向の少なくとも一方に移動可能である、該一対の第３押圧部のそれぞれに当接して前記円筒状基体の周方向に沿った押圧力を加えるための第４押圧部と、該第４押圧部を移動させるための移動手段とを有することを特徴とする電子写真感光体。
【請求項５】
前記一対の第３押圧部のそれぞれは、前記位置決め面に当接した第４主面と、該第４主面の反対側に位置して前記第４押圧部に当接した第５主面とを有し、
前記第４押圧部は、前記円筒状基体の軸方向に沿って移動可能である、前記第３押圧部のそれぞれの前記第５主面にそれぞれ当接した一対の第６主面を有し、
該一対の第６主面同士の前記円筒状基体の周方向に沿った距離は、前記円筒状基体の端面から軸方向に沿って漸次短くなっており、
前記移動手段は、前記第４押圧部を前記円筒状基体の軸方向に沿って移動させるものであることを特徴とする請求項４に記載の電子写真感光体。
【請求項６】
前記一対の第３押圧部のそれぞれは、前記位置決め面に当接した第４主面と、該第４主面の反対側に位置して前記第４押圧部に当接した第５主面とを有し、
前記第４押圧部は、前記円筒状基体の内周面から外周面に向かう半径方向に沿って移動可能であり、前記一対の第３押圧部のそれぞれの前記第５主面にそれぞれ当接した一対の第６主面を有し、
該一対の第６主面同士の前記円筒状基体の周方向に沿った距離は、前記円筒状基体の半径方向に沿って漸次短くなっており、
前記移動手段は、前記第４押圧部を前記円筒状基体の半径方向に沿って移動させるものであることを特徴とする請求項４に記載の電子写真感光体。
【請求項７】
前記移動手段は、前記第４押圧部と、前記フランジの前記第４押圧部に対応する位置とにそれぞれ配置された磁石同士の反発力を利用するものであることを特徴とする請求項４〜６のいずれか１項に記載の電子写真感光体。
【請求項８】
前記移動手段は、前記第４押圧部に対応して配置された前記フランジに取り付けられたねじを利用するものであることを特徴とする請求項４〜７のいずれか１項に記載の電子写真感光体。
【請求項９】
前記移動手段は、前記第４押圧部と、前記フランジの前記第４押圧部に対応する位置との間に配置されたばねの弾性力を利用するものであることを特徴とする請求項４〜８のいずれか１項に記載の電子写真感光体。
【請求項１０】
請求項１乃至９のいずれか１項に記載の電子写真感光体を備えることを特徴とする画像形成装置。
【発明の詳細な説明】
【技術分野】
【０００１】
本発明は、電子写真感光体およびこれを備えた画像形成装置に関するものである。
【背景技術】
【０００２】
従来、電子写真方式の複写機、レーザービームプリンター、ファクシミリ、印刷機などの画像形成装置における電子写真感光体は、例えば特許文献１に記載されているように円筒状などの基体の表面に感光層が形成されて、この基体の端部にフランジが装着されたものが広く採用されている。このような電子写真感光体は、フランジを介して基体、すなわち電子写真感光体の周方向に回転する外部からの回転駆動力が与えられ、回転しながら記録媒体に画像を形成する。
【０００３】
近年、電子写真感光体が商用の大型の画像形成装置にも採用されるようになってきており、電子写真感光体も大型化が進んでいる。電子写真感光体の大型化が進むと、電子写真感光体を回転させるために外部から回転駆動力を与える時、ならびに回転を停止するために与えていた回転駆動力を解除する時および制動力を与える時にフランジに大きなトルクが発生し、ひいてはフランジと基体との間に大きな摩擦力が発生する。この摩擦力は、電子写真感光体の始動時および停止時ほどに大きなものではないが、回転している間にも発生する。そして、電子写真感光体の回転の始動および停止が繰り返されたり、電子写真感光体が使用されると、基体とフランジとが摩擦力によって擦れたり振動したりするため、フランジが樹脂などで形成されている場合には、擦れや振動に起因する熱によってフランジが溶けてフランジと基体とが溶着するといった問題があった。
【先行技術文献】
【特許文献】
【０００４】
【特許文献１】特開平１１−２４２４０７号公報
【発明の概要】
【発明が解決しようとする課題】
【０００５】
本発明は、上記問題に鑑みてなされたものであり、電子写真感光体が大型化されたとしても、電子写真感光体の基体とフランジとの位置精度が高いことから、基体とフランジとの間に発生する擦れや振動が少なく、フランジが樹脂などで形成されていたとしてもフランジと基体が溶着することを防止することが可能な電子写真感光体を提供することを目的とする。
【課題を解決するための手段】
【０００６】
本発明の電子写真感光体は、円筒状基体と、該円筒状基体上に形成された感光層とを備えた、前記円筒状基体の端部にフランジが配置される電子写真感光体であって、前記円筒状基体は、端部に前記フランジとの位置決めを行なうための位置決め部を有しており、該位置決め部は、前記円筒状基体の端面から軸方向に沿って延びた一対の対向した位置決め面を有する切欠き部と、周方向に移動可能である、前記一対の位置決め面のそれぞれに当接して前記円筒状基体の周方向に押圧力を加えるための一対の第１押圧部と、前記円筒状基体の軸方向および内周面から外周面に向かう半径方向の少なくとも一方に移動可能である、該一対の第１押圧部のそれぞれに当接して前記円筒状基体の周方向に沿った押圧力を加えるための第２押圧部とを有することを特徴とする。
【０００７】
また、本発明の電子写真感光体は、上記構成において、前記一対の第１押圧部のそれぞれは、前記位置決め面に当接する第１主面と、該第１主面の反対側に位置して前記第２押
圧部に当接する第２主面とを有し、前記第２押圧部は、前記円筒状基体の軸方向に沿って移動可能であり、前記第１押圧部のそれぞれの前記第２主面にそれぞれ当接する一対の第３主面を有し、該第３主面同士の前記円筒状基体の周方向に沿った距離は、前記円筒状基体の端面から軸方向に沿って漸次短くなっていることを特徴とする。
【０００８】
さらに、本発明の電子写真感光体は、上記構成において、前記一対の第１押圧部のそれぞれは、前記位置決め面に当接する第１主面と、該第１主面の反対側に位置して前記第２押圧部に当接する第２主面とを有し、前記第２押圧部は、前記円筒状基体の内周面から外周面に向かう半径方向に沿って移動可能であり、前記第１押圧部のそれぞれの前記第２主面にそれぞれ当接する一対の第３主面を有し、該一対の第３主面同士の前記円筒状基体の周方向に沿った距離は、前記円筒状基体の半径方向に沿って漸次短くなっていることを特徴とする。
【０００９】
本発明の電子写真感光体は、円筒状基体と、該円筒状基体上に形成された感光層と、前記円筒状基体の端部に配置されたフランジとを備える電子写真感光体であって、前記円筒状基体は、端面から軸方向に沿って延びた一対の対向した位置決め面を有する切欠き部を有し、前記フランジは、前記円筒状基体の周方向に移動可能である、前記一対の位置決め面のそれぞれに当接して前記円筒状基体の周方向に沿った押圧力を加えるための一対の第３押圧部と、前記円筒状基体の軸方向および内周面から外周面に向かう半径方向の少なくとも一方に移動可能である、該一対の第３押圧部のそれぞれに当接して前記円筒状基体の周方向に沿った押圧力を加えるための第４押圧部と、該第４押圧部を移動させるための移動手段とを有することを特徴とする。
【００１０】
また、本発明の電子写真感光体は、上記構成において、前記一対の第３押圧部のそれぞれは、前記位置決め面に当接した第４主面と、該第４主面の反対側に位置して前記第４押圧部に当接した第５主面とを有し、前記第４押圧部は、前記円筒状基体の軸方向に沿って移動可能である、前記第３押圧部のそれぞれの前記第５主面にそれぞれ当接した一対の第６主面を有し、該一対の第６主面同士の前記円筒状基体の周方向に沿った距離は、前記円筒状基体の端面から軸方向に沿って漸次短くなっており、前記移動手段は、前記第４押圧部を前記円筒状基体の軸方向に沿って移動させるものであることを特徴とする。
【００１１】
さらに、本発明の電子写真感光体は、上記構成において、前記一対の第３押圧部のそれぞれは、前記位置決め面に当接した第４主面と、該第４主面の反対側に位置して前記第４押圧部に当接した第５主面とを有し、前記第４押圧部は、前記円筒状基体の内周面から外周面に向かう半径方向に沿って移動可能であり、前記一対の第３押圧部のそれぞれの前記第５主面にそれぞれ当接した一対の第６主面を有し、該一対の第６主面同士の前記円筒状基体の周方向に沿った距離は、前記円筒状基体の半径方向に沿って漸次短くなっており、前記移動手段は、前記第４押圧部を前記円筒状基体の半径方向に沿って移動させるものであることを特徴とする。
【００１２】
また、本発明の電子写真感光体は、上記構成において、前記移動手段は、前記第４押圧部と、前記フランジの前記第４押圧部に対応する位置とにそれぞれ配置された磁石同士の反発力を利用するものであることを特徴とする。
【００１３】
さらに、本発明の電子写真感光体は、上記構成において、前記移動手段は、前記第４押圧部に対応して配置された前記フランジに取り付けられたねじを利用するものであることを特徴とする。
【００１４】
また、本発明の電子写真感光体は、上記構成において、前記移動手段は、前記第４押圧部と、前記フランジの前記第４押圧部に対応する位置との間に配置されたばねの弾性力を
利用するものであることを特徴とする。
【００１５】
本発明の画像形成装置は、上記いずれかの本発明の電子写真感光体を備えることを特徴とする。
【発明の効果】
【００１６】
本発明の電子写真感光体によれば、円筒状基体と、該円筒状基体上に形成された感光層とを備えた、前記円筒状基体の端部にフランジが配置される電子写真感光体であって、前記円筒状基体は、端部に前記フランジとの位置決めを行なうための位置決め部を有しており、該位置決め部は、前記円筒状基体の端面から軸方向に沿って延びた一対の対向した位置決め面を有する切欠き部と、周方向に移動可能である、前記一対の位置決め面のそれぞれに当接して前記円筒状基体の周方向に押圧力を加えるための一対の第１押圧部と、前記円筒状基体の軸方向および内周面から外周面に向かう半径方向の少なくとも一方に移動可能である、該一対の第１押圧部のそれぞれに当接して前記円筒状基体の周方向に沿った押圧力を加えるための第２押圧部とを有することから、電子写真感光体が大型化されたとしても、電子写真感光体の基体とフランジとの位置決め精度が高いことから、基体とフランジとの間に発生する擦れや振動を少なくすることができるため、フランジが樹脂などで形成されていたとしても、フランジと基体とに擦れや振動に起因する熱が発生することを抑制してフランジと基体が溶着することを防止することが可能な電子写真感光体を実現することができる。
【図面の簡単な説明】
【００１７】
【図１】（ａ）は本発明の電子写真感光体の第１の実施の形態の例を示す断面図である。（ｂ）は（ａ）の要部側面図である。（ｃ）は（ａ）の切欠き部を感光層側から見た透視図である。
【図２】図１の電子写真感光体に配置されるフランジを説明する図である。
【図３】（ａ）は本発明の電子写真感光体の第２の実施の形態の例を示す断面図である。（ｂ）は（ａ）の要部側面図である。（ｃ）はフランジの要部拡大図である。
【図４】本発明の画像形成装置の断面図である。
【図５】（ａ）は図１に示した電子写真感光体の第１変形例を示す断面図である。（ｂ）は（ａ）の要部側面図である。（ｃ）は（ａ）の切欠き部を感光層側から見た透視図である。
【発明を実施するための形態】
【００１８】
以下、本発明の電子写真感光体およびこれを備えた画像形成装置の実施の形態の例について、図面を参照しつつ説明する。なお、以下の例は本発明の実施の形態を例示するものであって、本発明はこれらの実施の形態の例に限定されるものではない。
【００１９】
（電子写真感光体の第１の実施の形態）
図１に示した電子写真感光体１は、円筒状基体１０と、円筒状基体１０上に形成された感光層１１とを備えている。本例の電子写真感光体１は、円筒状基体１０の端部にフランジ２０が配置されて、画像形成装置に組み込まれて使用される。
【００２０】
感光層１１は、アモルファスシリコン（ａ−Ｓｉ）系材料などからなる無機感光層および有機感光層であり、本例では、アモルファスシリコン（ａ−Ｓｉ）系材料からなる無機感光層を採用している。
【００２１】
円筒状基体１０は、感光層１１の支持体となるものであり、少なくとも表面に導電性を有するものとして形成される。この円筒状基体１０は、例えばアルミニウム（Ａｌ）、ステンレス（ＳＵＳ）、亜鉛（Ｚｎ）、銅（Ｃｕ）、鉄（Ｆｅ）、チタン（Ｔｉ）、ニッケ
ル（Ｎｉ）、クロム（Ｃｒ）、タンタル（Ｔａ）、スズ（Ｓｎ）、金（Ａｕ）および銀（Ａｇ）などの金属材料あるいはこれら例示した金属材料を含む合金材料により、全体が導電性を有するものとして形成されている。円筒状基体１０は、また、樹脂、ガラスあるいはセラミックスなどの絶縁体の表面に、例示した金属材料ならびにＩＴＯ（Indium Tin Oxide）あるいはＳｎＯ２などの透明導電性材料による導電性膜を被着したものであってもよい。例示した材料のうち、円筒状基体１０を形成するための材料としては、アルミニウム（Ａｌ）系材料を用いるのが最も好ましく、また円筒状基体１０の全体をアルミニウム（Ａｌ）系材料で形成するのが好ましい。そうすれば、電子写真感光体１を軽量かつ低コストで製造可能であり、その上、感光層１１をアモルファスシリコン（ａ−Ｓｉ）系材料で形成する場合には、感光層１１と円筒状基体１０との間の密着性が高くなって信頼性を向上させることができる。本例の円筒状基体１０はアルミニウム（Ａｌ）で形成されている。
【００２２】
そして、本例の円筒状基体１０は、端部にフランジ２０との位置決めを行なうための位置決め部１２を有している。
【００２３】
位置決め部１２は、円筒状基体１０の端面１０ａから軸方向に沿って延びた一対の対向した位置決め面１３ａを有する切欠き部１３と、円筒状基体１０の周方向に移動可能である一対の位置決め面１３ａのそれぞれに当接して円筒状基体１０の周方向に押圧力を加えるための一対の第１押圧部１４と、円筒状基体１０の軸方向に移動可能である一対の第１押圧部１４のそれぞれに当接して円筒状基体１０の周方向に沿った押圧力を加えるための第２押圧部１５とを有している。
【００２４】
切欠き部１３は、フランジ２０との位置決めを行なうための第１押圧部１４および第２押圧部１５を収容するための収容部として、またフランジ２０と電子写真感光体１との位置決めを行なう位置決め基準として機能する。
【００２５】
本例の切欠き部１３は、位置決め面１３ａに接続されて円筒状基体１０の外周面側に位置する切欠き外周面１３ｂ、円筒状基体１０の内周面側に位置する切欠き内周面１３ｃおよび円筒状基体１０の端面１０ａの反対側に位置する切欠き奥面１３ｄを有する。
【００２６】
一対の第１押圧部１４のそれぞれは、位置決め面１３ａに当接する第１主面１４ａ、第１主面１４ａの反対側に位置して第２押圧部１５に当接する第２主面１４ｂ、切欠き外周面１３ｂに対向する第１押圧外周面１４ｃ、切欠き内周面１３ｃに対向する第１押圧内周面１４ｄ、切欠き奥面１３ｄに対向して円筒状基体１０の端面１０ａの反対側に位置する第１押圧奥面１４ｅおよび円筒状基体１０の端面１０ａ側に位置して第１押圧奥面１４ｅに対向する第１押圧手前面１４ｆを有する六面体である。
【００２７】
第１押圧部１４のそれぞれは、円筒状基体１０の周方向に移動可能であり、一対の位置決め面１３ａのそれぞれに第１主面１４ａが当接して円筒状基体１０の周方向に沿った押圧力を加える押圧部材として機能する。
【００２８】
本例の第１押圧部１４は、例えばアルミニウム（Ａｌ）、ステンレス（ＳＵＳ）、亜鉛（Ｚｎ）、銅（Ｃｕ）、鉄（Ｆｅ）、チタン（Ｔｉ）、ニッケル（Ｎｉ）、クロム（Ｃｒ）、タンタル（Ｔａ）、スズ（Ｓｎ）、金（Ａｕ）および銀（Ａｇ）などの金属材料あるいはこれら例示した金属材料あるいは樹脂、ガラスおよびセラミックスなどの絶縁体などで形成すればよい。本例の第１押圧部１４は、円筒状基体１０と同様にアルミニウム（Ａｌ）で形成されている。
【００２９】
第２押圧部１５は、円筒状基体１０の軸方向に沿って移動可能であり、それぞれの第１
押圧部１４の第２主面１４ｂにそれぞれ当接する第３主面１５ａ、切欠き外周面１３ｂに対向する第２押圧外周面１５ｂ、切欠き内周面１３ｃに対向する第２押圧内周面１５ｃ、切欠き奥面１３ｄに対向して円筒状基体１０の端面１０ａの反対側に位置する第２押圧奥面１５ｄおよび円筒状基体１０の端面１０ａ側に位置して第２押圧奥面１５ｄに対向する第２押圧手前面１５ｅを有する六面体である。
【００３０】
そして、第３主面１５ａ同士の円筒状基体１０の周方向に沿った距離は、円筒状基体１０の端面から軸方向に沿って漸次短くなっている。
【００３１】
第２押圧部１５は、円筒状基体１０の軸方向に移動可能であり、第１押圧部１４のそれぞれの第２主面１４ｂに第３主面１５ａのそれぞれが当接して円筒状基体１０の周方向に沿った押圧力を加える押圧部材として機能する。
【００３２】
本例の第２押圧部１５は、例えばアルミニウム（Ａｌ）、ステンレス（ＳＵＳ）、亜鉛（Ｚｎ）、銅（Ｃｕ）、鉄（Ｆｅ）、チタン（Ｔｉ）、ニッケル（Ｎｉ）、クロム（Ｃｒ）、タンタル（Ｔａ）、スズ（Ｓｎ）、金（Ａｕ）および銀（Ａｇ）などの金属材料あるいはこれら例示した金属材料あるいは樹脂、ガラスおよびセラミックスなどの絶縁体などで形成すればよい。本例の第２押圧部１５は、円筒状基体１０と同様にアルミニウム（Ａｌ）で形成されている。
【００３３】
このような構成とすることで、本例の電子写真感光体１は、フランジ２０との位置決め精度が高くなるばかりか、電子写真感光体１が画像形成装置に組み込まれて使用されるときであっても、電子写真感光体１を回転させるために外部から回転駆動力を与える時、ならびに回転を停止するために与えていた回転駆動力を解除する時および制動力を与える時にフランジ２０に大きなトルクが発生し、ひいては円筒状基体１０とフランジ２０との間に大きな摩擦力が発生したとしても、円筒状基体１０とフランジ２０とが摩擦力によって擦れたり振動したりすることを防止することができる。円筒状基体１０とフランジ２０とが擦れたり振動したりすると、例えばフランジ２０が樹脂材料などで形成されている場合には、擦れや振動に起因する熱によってフランジ２０が溶けて円筒状基体１０と溶着するといった問題が発生するが、このような問題が発生することも抑制できる。
【００３４】
この点をさらに詳しく説明する。
【００３５】
第２押圧部１５は、円筒状基体１０の軸方向に沿って移動可能であり、後に説明するフランジ２０の移動手段２０ｄによって、第２押圧手前面１５ｅを円筒状基体１０の軸方向に押圧されて移動させられる。第２押圧部１５が軸方向に移動すると、第２押圧部１５の有する第３主面１５ａが、それぞれ第１押圧部１４の第２主面１４ｂに当接する。そして、第３主面１５ａ同士の円筒状基体１０の周方向に沿った距離は、円筒状基体１０の端面から軸方向に沿って漸次短くなっていることから、第２押圧部１５を軸方向に沿って移動させることは、すなわち第２押圧部１５の第３主面１５ａのそれぞれに当接する、それぞれの第１押圧部１４の第２主面１４ｂを円筒状基体１０の周方向に沿って、第１押圧部１４同士が互いに離れる方向に押圧して移動させることになる。
【００３６】
第１押圧部１４が周方向に沿って、互いに離れる方向に移動すれば、第１押圧部の第１主面１４ａがそれぞれ切欠き部１３の有する位置決め面１３ａを、円筒状基体１０の周方向に沿って押圧することになる。
【００３７】
よって、フランジ２０の移動手段２０ｄが、第２押圧部１５の第２押圧部手前面１５ｅを円筒状基体１０の軸方向に沿って押圧して移動させることによって、電子写真感光体１の位置決め面１３ａのそれぞれに第１押圧部１４が押圧されることになるため、電子写真
感光体１とフランジ２０との位置決め精度を高くすることができるばかりか、電子写真感光体１が大型化された場合に、電子写真感光体１を回転させるために外部から回転駆動力を与える時、ならびに回転を停止するために与えていた回転駆動力を解除する時および制動力を与える時、ならびに回転時にフランジ２０に大きなトルクが発生し、ひいてはフランジ２０と円筒状基体１０との間に大きな摩擦力が発生したとしても、円筒状基体１０とフランジ２０とが摩擦力によって擦れたり、振動したりすることに起因する熱によってフランジが溶けてフランジと基体とが溶着することを抑制できる。
【００３８】
なお、本例の位置決め面１３ａ、第１主面１４ａ、第２主面１４ｂおよび第３主面１５ａは、それぞれ円筒状基体１０の内周面から外周面に向かう半径方向に略平行な平面となっているが、必ずしもこのような形状である必要はない。フランジ２０の移動手段２０ｄによって、第２押圧部１５の第２押圧手前面１５ｅを押圧することによって、第２押圧部１５が第１押圧部１４を押圧して、それぞれの第１押圧部１４が位置決め面１３ａを円筒状基体１０の周方向に沿った方向に押圧できればよい。
【００３９】
例えば、位置決め面１３ａ、第１主面１４ａ、第２主面１４ｂおよび第３主面１５ａを、円筒状基体１０の内周面から外周面に向かう半径方向に沿って傾斜させた平面であってもよい。位置決め面１３ａおよび第１主面１４ａを半径方向に沿って放射状に傾斜させれば、位置決め面１３ａに第１主面１４ａがくさびを打ち込む形状となり、電子写真感光体１とフランジ２０との位置決め精度をより高くすることができるばかりか、擦れや振動を抑制することが可能となる。
【００４０】
また、位置決め面１３ａ、第１主面１４ａ、第２主面１４ｂおよび第３主面１５ａは１つの平面で構成されているが、２平面以上の複数平面で構成されていてもよい。位置決め面１３ａおよび第１主面１４ａを２平面以上の複数平面で構成すれば、円筒状基体１０の周方向に対してくさび形状となるため、位置決め精度を高くすることが可能となるが、位置決め面１３ａと第１主面１４ａとの対応する平面のそれぞれが面接触するように構成することが好ましい。対応する平面同士に間隙が発生すれば、電子写真感光体１の回転時などに擦れや振動が発生しやすくなるためである。
【００４１】
ここで、フランジ２０は、円筒状基体１０の端面１０ａに当接するフランジ部２０ａと、内周面１０ｂに当接する嵌合部２０ｂと、円筒状基体１０、すなわち電子写真感光体１の回転軸上に配置される軸２０ｃとを有している。
【００４２】
そして、フランジ部２０ａの円筒状基体１０の端面１０ａに当接する側の表面において、第２押圧部１５と対応する位置に移動手段２０ｄが設けられている。
【００４３】
移動手段２０ｄは、電子写真感光体１の第２押圧部１５を円筒状基体１０の軸方向に沿って移動させる移動手段として機能する。
【００４４】
移動手段２０ｄとしては、図２（ａ）に示すように、フランジ部２０ａの円筒状基体１０の端面１０ａに当接する側の表面と、第２押圧部１５の第２押圧手前面１５ｅとにそれぞれ磁石を配置して、磁石同士の反発力を利用するもの、あるいは図２（ｂ）に示すように、フランジ部２０ａに軸２０ｃの方向に沿って貫通する貫通穴にねじ溝を設けて、この貫通穴にねじを挿入するもの、あるいは図２（ｃ）に示すように、フランジ部２０ａの円筒状基体１０の端面１０ａに当接する側にばねを配置して、ばねの弾性力を利用するもの、あるいはこれらの組合せであればよい。
【００４５】
図２（ａ）に示す磁石同士の反発力を利用するもの、および図２（ｃ）に示すばねの弾性力を利用するものであれば、電子写真感光体１の使用によって切欠き部１３、第１押圧
部１４および第２押圧部１５が変形したとしても、第２押圧部１５に対して押圧力をかけ続けることが可能であるため、位置決め面１３ａと第１主面１４ａとの間、および第２主面１４ｂと第３主面１５ａとの間に間隙が発生することを抑制できるので、電子写真感光体１とフランジ２０との位置精度を高く維持することができるばかりか、擦れや振動を抑制することが可能となる。
【００４６】
なお、本例の円筒状基体１０の一方の端部に位置決め部１２が設けられているが、当然のことながら、円筒状基体１０の両端部にフランジ２０が配置される場合には、両端部に位置決め部１２が設けられていてもよい。
【００４７】
（電子写真感光体の第２の実施の形態）
本発明の電子写真感光体の第２の実施の形態の例を説明する。図３（ａ）〜（ｃ）は本発明の第２の実施の形態の例である電子写真感光体２を示す図である。なお、フランジ２０，２１が円筒状基体１０の両端部に配置されていること、円筒状基体１０の端部に設けられていた第１押圧部１４および第２押圧部１５がフランジ２０に配置されていること以外は、本例の電子写真感光体２の構成は第１の実施の形態の例である電子写真感光体１と同様である。以下、第１の実施の形態の例と同様の箇所については同一の符号を付して説明を省略することもある。
【００４８】
図３（ａ）に示した電子写真感光体２は、円筒状基体１０と、円筒状基体１０上に形成された感光層１１と、円筒状基体１０の端部に配置された移動手段２０ｄを有するフランジ２０およびフランジ２１とを備えている。本例の電子写真感光体２は、画像形成装置に組み込まれて使用される。
【００４９】
感光層１１は、アモルファスシリコン（ａ−Ｓｉ）系材料などからなる無機感光層および有機感光層であり、本例では、アモルファスシリコン（ａ−Ｓｉ）系材料からなる無機感光層を採用している。
【００５０】
円筒状基体１０は、感光層１１の支持体となるものであり、少なくとも表面に導電性を有するものとして形成される。この円筒状基体１０は、例えばアルミニウム（Ａｌ）、ステンレス（ＳＵＳ）、亜鉛（Ｚｎ）、銅（Ｃｕ）、鉄（Ｆｅ）、チタン（Ｔｉ）、ニッケル（Ｎｉ）、クロム（Ｃｒ）、タンタル（Ｔａ）、スズ（Ｓｎ）、金（Ａｕ）および銀（Ａｇ）などの金属材料あるいはこれら例示した金属材料を含む合金材料により、全体が導電性を有するものとして形成されている。円筒状基体１０は、また、樹脂、ガラスあるいはセラミックスなどの絶縁体の表面に、例示した金属材料ならびにＩＴＯ（Indium Tin Oxide）あるいはＳｎＯ２などの透明導電性材料による導電性膜を被着したものであってもよい。例示した材料のうち、円筒状基体１０を形成するための材料としては、アルミニウム（Ａｌ）系材料を用いるのが最も好ましく、また円筒状基体１０の全体をアルミニウム（Ａｌ）系材料で形成するのが好ましい。そうすれば、電子写真感光体１を軽量かつ低コストで製造可能であり、その上、感光層１１をアモルファスシリコン（ａ−Ｓｉ）系材料で形成する場合には、感光層１１と円筒状基体１０との間の密着性が高くなって信頼性を向上させることができる。本例の円筒状基体１０はアルミニウム（Ａｌ）で形成されている。
【００５１】
そして、本例の円筒状基体１０は、端面１０ａから軸方向に沿って延びた一対の対向した位置決め面１３ａを有する切欠き部１３を有している。
【００５２】
切欠き部１３は、フランジ２０との位置決めを行なうための第１押圧部１４および第２押圧部１５を収容するための収容部として、またフランジ２０と電子写真感光体１との位置決めを行なう位置決め基準として機能する。
【００５３】
本例の切欠き部１３は、位置決め面１３ａに接続されて円筒状基体１０の外周面側に位置する切欠き外周面１３ｂ、円筒状基体１０の内周面側に位置する切欠き内周面１３ｃおよび円筒状基体１０の端面１０ａの反対側に位置する切欠き奥面１３ｄを有する。
【００５４】
フランジ２０は、円筒状基体１０の周方向に沿って移動可能である、一対の位置決め面１３ａのそれぞれに当接して円筒状基体１０の周方向に沿った押圧力を加えるための一対の第３押圧部３０と、円筒状基体１０の軸方向に移動可能である一対の第３押圧部３０のそれぞれに当接して円筒状基体１０の周方向に沿った押圧力を加えるための第４押圧部３１と、第４押圧部３１を移動させるための移動手段２０ｄとを有している。
【００５５】
一対の第３押圧部３０のそれぞれは、位置決め面１３ａに当接する第４主面３０ａ、第４主面３０ａの反対側に位置して第４押圧部３１に当接する第５主面３０ｂ、切欠き外周面１３ｂに対向する第３押圧外周面３０ｃ、切欠き内周面１３ｃに対向する第３押圧内周面３０ｄ、切欠き奥面１３ｄに対向して円筒状基体１０の端面１０ａの反対側に位置する第３押圧奥面３０ｅおよび円筒状基体１０の端面１０ａ側に位置して第１押圧奥面１４ｅに対向する第１押圧手前面３０ｆを有する六面体である。
【００５６】
第３押圧部３０のそれぞれは、円筒状基体１０の周方向に移動可能であり、一対の位置決め面１３ａのそれぞれに第４主面３０ａが当接して円筒状基体１０の周方向に沿った押圧力を加える押圧部材として機能する。
【００５７】
本例の第１押圧部１４は、例えばアルミニウム（Ａｌ）、ステンレス（ＳＵＳ）、亜鉛（Ｚｎ）、銅（Ｃｕ）、鉄（Ｆｅ）、チタン（Ｔｉ）、ニッケル（Ｎｉ）、クロム（Ｃｒ）、タンタル（Ｔａ）、スズ（Ｓｎ）、金（Ａｕ）および銀（Ａｇ）などの金属材料あるいはこれら例示した金属材料あるいは樹脂、ガラスおよびセラミックスなどの絶縁体などで形成すればよい。本例の第３押圧部３０は、円筒状基体１０と同様にアルミニウム（Ａｌ）で形成されている。
【００５８】
第４押圧部３１は、円筒状基体１０の軸方向に沿って移動可能であり、第３押圧部３０のそれぞれの第５主面３０ｂにそれぞれ当接する第６主面３１ａ、切欠き外周面１３ｂに対向する第４押圧外周面３１ｂ、切欠き内周面１３ｃに対向する第４押圧内周面３１ｃ、切欠き奥面１３ｄに対向して円筒状基体１０の端面１０ａの反対側に位置する第４押圧奥面３１ｄおよび円筒状基体１０の端面１０ａ側に位置して第４押圧奥面１５ｄに対向する第２押圧手前面３１ｅを有する六面体である。
【００５９】
そして、第６主面３１ａ同士の円筒状基体１０の周方向に沿った距離は、円筒状基体１０の端面から軸方向に沿って漸次短くなっている。
【００６０】
第４押圧部３１は、円筒状基体１０の軸方向に移動可能であり、それぞれの第３押圧部３０の第５主面３０ｂに第４主面３０ａのそれぞれが当接して円筒状基体１０の周方向に沿った押圧力を加える押圧部材として機能する。
【００６１】
本例の第４押圧部３１は、例えばアルミニウム（Ａｌ）、ステンレス（ＳＵＳ）、亜鉛（Ｚｎ）、銅（Ｃｕ）、鉄（Ｆｅ）、チタン（Ｔｉ）、ニッケル（Ｎｉ）、クロム（Ｃｒ）、タンタル（Ｔａ）、スズ（Ｓｎ）、金（Ａｕ）および銀（Ａｇ）などの金属材料あるいはこれら例示した金属材料あるいは樹脂、ガラスおよびセラミックスなどの絶縁体などで形成すればよい。本例の第４押圧部３１は、円筒状基体１０と同様にアルミニウム（Ａｌ）で形成されている。
【００６２】
このような構成とすることで、本例の電子写真感光体２は、円筒状基体１０とフランジ２０との位置決め精度が高くなるばかりか、電子写真感光体２が画像形成装置に組み込まれて使用されるときであっても、電子写真感光体２を回転させるために外部から回転駆動力を与える時、ならびに回転を停止するために与えていた回転駆動力を解除する時および制動力を与える時にフランジ２０に大きなトルクが発生し、ひいては円筒状基体１０とフランジ２０との間に大きな摩擦力が発生したとしても、円筒状基体１０とフランジ２０とが摩擦力によって擦れたり振動したりすることを防止することができる。円筒状基体１０とフランジ２０とが擦れたり振動したりすると、例えばフランジ２０が樹脂材料などで形成されている場合には、擦れや振動に起因する熱によってフランジ２０が溶けて円筒状基体１０と溶着するといった問題が発生するが、このような問題が発生することも抑制できる。
【００６３】
この点をさらに詳しく説明する。
【００６４】
第４押圧部３１は、円筒状基体１０の軸方向に沿って移動可能であり、後に説明するフランジ２０の移動手段２０ｄによって、第４押圧手前面３１ｅを円筒状基体１０の軸方向に押圧して移動させられる。第４押圧部３１が軸方向に移動すると、第４押圧部３１の有する第６主面３１ａが、それぞれ第３押圧部３０の第５主面３０ｂに当接する。そして、第６主面３０ａ同士の円筒状基体１０の周方向に沿った距離は、円筒状基体１０の端面から軸方向に沿って漸次短くなっていることから、第４押圧部３１を軸方向に沿って移動させることは、すなわち第４押圧部３１の第６主面３１ａのそれぞれに当接する、それぞれの第３押圧部３０の第５主面３０ｂを円筒状基体１０の周方向に沿って、第３押圧部３０同士が互いに離れる方向に押圧して移動させることになる。
【００６５】
第３押圧部３０が周方向に沿って、互いに離れる方向に移動すれば、第３押圧部の第４主面３０ａがそれぞれ切欠き部１３の有する位置決め面１３ａを、円筒状基体１０の周方向に沿って押圧することになる。
【００６６】
よって、フランジ２０の移動手段２０ｄが、第４押圧部３１の第４押圧部手前面３１ｅを円筒状基体１０の軸方向に沿って押圧して移動させることによって、電子写真感光体２の位置決め面１３ａのそれぞれに第３押圧部３０が押圧されることになるため、円筒状基体１０とフランジ２０との位置決め精度を高くすることができるばかりか、電子写真感光体２が大型化された場合に、電子写真感光体２を回転させるために外部から回転駆動力を与える時、ならびに回転を停止するために与えていた回転駆動力を解除する時および制動力を与える時、ならびに回転時にフランジ２０に大きなトルクが発生し、ひいてはフランジ２０と円筒状基体１０との間に大きな摩擦力が発生したとしても、円筒状基体１０とフランジ２０とが摩擦力によって擦れたり振動したりすることに起因する熱によってフランジが溶けてフランジと基体とが溶着することを抑制できる。
【００６７】
なお、本例の位置決め面１３ａ、第４主面３０ａ、第５主面３０ｂおよび第６主面３１ａは、それぞれ円筒状基体１０の内周面から外周面に向かう半径方向に略平行な平面となっているが、必ずしもこのような形状である必要はない。フランジ２０の移動手段２０ｄによって、第４押圧部３１の第４押圧手前面３１ｅを押圧することによって、第４押圧部３１が第３押圧部３０を押圧されて、それぞれの第３押圧部３０が位置決め面１３ａを円筒状基体１０の周方向に沿った方向に押圧できればよい。
【００６８】
例えば、位置決め面１３ａ、第４主面３０ａ、第５主面３０ｂおよび第６主面３１ａの平面を、円筒状基体１０の内周面から外周面に向かう半径方向に沿って傾斜させてもよい。位置決め面１３ａおよび第４主面３０ａを半径方向に沿って放射状に傾斜させれば、位置決め面１３ａに第４主面３０ａがくさびを打ち込む形状となり、電子写真感光体２とフ
ランジ２０との位置決め精度をより高くすることができるばかりか、擦れや振動を抑制することが可能となる。
【００６９】
また、位置決め面１３ａ、第４主面３０ａ、第５主面３０ｂおよび第６主面３１ａは１つの平面で構成されているが、２平面以上の複数平面で構成されていてもよい。位置決め面１３ａおよび第４主面３０ａを２平面以上の複数平面で構成すれば、円筒状基体１０の周方向に対してくさび形状となるため、位置決め精度を高くすることが可能となるが、位置決め面１３ａと第４主面３０ａとの対応する平面のそれぞれが面接触するように構成することが好ましい。対応する平面同士に間隙が発生すれば、電子写真感光２の回転時などに擦れや振動が発生しやすくなるためである。
【００７０】
フランジ２０は、円筒状基体１０の端面１０ａに当接するフランジ部２０ａと、内周面１０ｂに当接する嵌合部２０ｂと、円筒状基体１０、すなわち電子写真感光体２の回転軸上に配置される軸２０ｃとを有している。
【００７１】
そして、フランジ部２０ａの円筒状基体１０の端面１０ａに当接する側の表面において、第４押圧部３１と対応する位置に移動手段２０ｄが設けられている。
【００７２】
移動手段２０ｄは、電子写真感光体２の第４押圧部３１を円筒状基体１０の軸方向に沿って移動させる移動手段として機能する。
【００７３】
移動手段２０ｄとしては、電子写真感光体１と同様に、フランジ部２０ａの円筒状基体１０の端面１０ａに当接する側の表面と、第４押圧部３１の第４押圧手前面３０ｅとにそれぞれ磁石を配置して、磁石同士の反発力を利用するもの、あるいはフランジ部２０ａに軸２０ｃの方向に沿って貫通する貫通穴にねじ溝を設けて、この貫通穴にねじを挿入するもの、あるいはフランジ部２０ａの円筒状基体１０の端面１０ａに当接する側にばねを配置して、ばねの弾性力を利用するもの、あるいはこれらの組合せであればよい。
【００７４】
移動手段２０ｄが、磁石同士の反発力を利用するもの、およびばねの弾性力を利用するものであれば、電子写真感光体２の使用によって切欠き部１３、第３押圧部３０および第４押圧部３１が変形したとしても、第４押圧部３１に対して押圧力をかけ続けることが可能であるため、位置決め面１３ａおよび第４主面３０ａ、ならびに第５主面３０ｂおよび第６主面３１ａに間隙が発生することを抑制できるので、電子写真感光体２とフランジ２０との位置精度を高く維持することができるばかりか、擦れや振動を抑制することが可能となる。
【００７５】
本例の円筒状基体１０の一方の端部にフランジ２０が配置され、他方の端部には第３押圧部３０、第４押圧部３１および移動手段２０ｄを有さないフランジ２１が配置されている。当然のことながら、円筒状基体１０の両端部にフランジ２０を配置してもよい。
【００７６】
（画像形成装置）
図４に示す画像形成装置は、画像形成方式としてカールソン法を採用したものであり、電子写真感光体１、帯電器１１１、露光器１１２、現像器１１３、転写器１１４、定着器１１５、クリーニング器１１６および除電器１１７を備えている。
【００７７】
帯電器１１１は、電子写真感光体１の表面を負極性に帯電する役割を担うものである。帯電電圧は、例えば２００Ｖ以上１０００Ｖ以下に設定される。本実施形態において帯電器１１１は、例えば芯金を導電性ゴムあるいはＰＶＤＦ（ポリフッ化ビニリデン）によって被覆して構成される接触型帯電器が採用されているが、これに代えて、放電ワイヤを備える非接触型帯電器（例えばコロナ帯電器）を採用してもよい。
【００７８】
露光器１１２は、電子写真感光体１に静電潜像を形成する役割を担うものである。具体的には、露光器１１２は、画像信号に応じて特定波長（例えば６５０ｎｍ以上７８０ｎｍ以下）の露光光（例えばレーザ光）を電子写真感光体１に照射することによって、帯電状態にある電子写真感光体１の露光光照射部分の電位を減衰させて静電潜像を形成する。露光器１１２としては、例えば複数のＬＥＤ素子（波長：６８０ｎｍ）を配列させてなるＬＥＤヘッドを採用することができる。
【００７９】
もちろん、露光器１１２の光源としては、ＬＥＤ素子に代えてレーザ光を出射可能なものを使用することもできる。つまり、ＬＥＤヘッドなどの露光器１１２に代えて、ポリゴンミラーを含んでなる光学系を使用してもよい。あるいは、原稿からの反射光を通すレンズおよびミラーを含んでなる光学系を採用することによって、複写機の構成の画像形成装置とすることもできる。
【００８０】
現像器１１３は、電子写真感光体１の静電潜像を現像してトナー像を形成する役割を担うものである。本例における現像器１１３は、現像剤（トナー）Ｔを磁気的に保持する磁気ローラ１１３Ａを備えている。
【００８１】
現像剤Ｔは、電子写真感光体１の表面上に形成されるトナー像を構成するものであり、現像器１１３において摩擦帯電する。現像剤Ｔとしては、例えば、磁性キャリアおよび絶縁性トナーを含んでなる二成分系現像剤と、磁性トナーを含んでなる一成分系現像剤とが挙げられる。
【００８２】
磁気ローラ１１３Ａは、電子写真感光体１の表面（現像領域）に現像剤を搬送する役割を担うものである。磁気ローラ１１３Ａは、現像器１１３において摩擦帯電した現像剤Ｔを一定の穂長に調整された磁気ブラシの形で搬送する。この搬送された現像剤Ｔは、電子写真感光体１の現像領域において、静電潜像との静電引力によって電子写真感光体１の表面に付着してトナー像を形成する（静電潜像を可視化する）。トナー像の帯電極性は、正規現像によって画像形成が行なわれる場合には電子写真感光体１の表面の帯電極性と逆極性とされ、反転現像によって画像形成が行なわれる場合には電子写真感光体１の表面の帯電極性と同極性とされる。
【００８３】
なお、現像器１１３は、本例においては乾式現像方式を採用しているが、液体現像剤を用いた湿式現像方式を採用してもよい。
【００８４】
転写器１１４は、電子写真感光体１と転写器１１４との間の転写領域に供給された記録媒体Ｐに、電子写真感光体１のトナー像を転写する役割を担うものである。本例における転写器１１４は、転写用チャージャ１１４Ａおよび分離用チャージャ１１４Ｂを備えている。転写器１１４では、転写用チャージャ１１４Ａにおいて記録媒体Ｐの背面（非記録面）がトナー像とは逆極性に帯電され、この帯電電荷とトナー像との静電引力によって、記録媒体Ｐ上にトナー像が転写される。また、転写器１１４では、トナー像の転写と同時的に、分離用チャージャ１１４Ｂにおいて記録媒体Ｐの背面が交流帯電され、記録媒体Ｐが電子写真感光体１の表面から速やかに分離させられる。
【００８５】
転写器１１４としては、電子写真感光体１の回転に従動し、且つ、電子写真感光体１とは微小間隙（通常、０．５ｍｍ以下）を介して配置された転写ローラを用いることも可能である。この転写ローラは、例えば直流電源により、電子写真感光体１上のトナー像を記録媒体Ｐ上に引きつけるような転写電圧を印加するように構成される。転写ローラを用いる場合には、分離用チャージャ１１４Ｂのような転写分離装置は省略することもできる。
【００８６】
定着器１１５は、記録媒体Ｐに転写されたトナー像を記録媒体Ｐに定着させる役割を担うものであり、一対の定着ローラ１１５Ａ、１１５Ｂを備えている。定着ローラ１１５Ａ、１１５Ｂは、例えば金属ローラ上に四フッ化エチレンなどで表面被覆したものである。定着器１１５では、一対の定着ローラ１１５Ａ、１１５Ｂの間を通過させる記録媒体Ｐに対して熱および圧力などを作用させることによって、記録媒体Ｐにトナー像を定着させることができる。
【００８７】
クリーニング器１１６は、電子写真感光体１の表面に残存するトナーを除去する役割を担うものであり、クリーニングブレード１１６Ａを備えている。クリーニングブレード１１６Ａは、電子写真感光体１の表面から残留トナーを掻きとる役割を担うものである。クリーニングブレード１１６Ａは、例えばポリウレタン樹脂を主成分としたゴム材料で形成されている。
【００８８】
除電器１１７は、電子写真感光体１の表面電荷を除去する役割を担うものであり、特定波長（例えば７８０ｎｍ以上）の光を出射可能とされている。除電器１１７は、例えばＬＥＤなどの光源によって電子写真感光体１の表面の軸方向全体を光照射することにより、電子写真感光体１の表面電荷（残余の静電潜像）を除去するように構成されている。
【００８９】
本例の画像形成装置１００では、電子写真感光体１の有する上述の効果を奏することができる。
【００９０】
なお、当然のことながら、本例の画像形成装置を構成する電子写真感光体１に代えて、電子写真感光体２を採用してもよい。
【００９１】
以上、本発明の具体的な実施の形態の例を示したが、本発明はこれに限定されるものではなく、本発明の要旨を逸脱しない範囲で種々の変更が可能であることは言うまでもない。
【００９２】
例えば、図５に示す第１変形例のように、第２押圧部１５は、円筒状基体１０の内周面から外周面に向かう半径方向に沿って移動可能とされていてもよい。この場合には、第２押圧部１５の一対の第３主面１５ａ同士の円筒状基体１０の周方向に沿った距離は、円筒状基体１０の内周面から外周面に向かう半径方向に沿って漸次短くなっている。
【００９３】
そして、第２押圧部１５に対応してフランジ２０に設けられた移動手段２０ｄによって、第２押圧部１５は第２押圧手前面１５ｅを円筒状基体１０の半径方向に押圧されて移動させられる。第２押圧部１５が半径方向に移動すると、第２押圧部１５の有する第３主面１５ａが、それぞれ第１押圧部１４の第２主面１４ｂに当接する。そして、第３主面１５ａ同士の円筒状基体１０の半径方向に沿った距離は、円筒状基体１０の端面から軸方向に沿って漸次短くなっていることから、第２押圧部１５を半径方向に沿って移動させることは、すなわち第２押圧部１５の第３主面１５ａのそれぞれに当接する、それぞれの第１押圧部１４の第２主面１４ｂを円筒状基体１０の周方向に沿って、第１押圧部１４同士が互いに離れる方向に押圧して移動させることになる。
【００９４】
第１押圧部１４が周方向に沿って、互いに離れる方向に移動すれば、第１押圧部の第１主面１４ａがそれぞれ切欠き部１３の有する位置決め面１３ａを、円筒状基体１０の周方向に沿って押圧することになる。
【００９５】
よって、フランジ２０の移動手段２０ｄが、第２押圧部１５の第２押圧部手前面１５ｅを円筒状基体１０の半径方向に沿って押圧して移動させることによって、電子写真感光体１の位置決め面１３ａのそれぞれに第１押圧部１４が押圧されることになるため、電子写
真感光体１とフランジ２０との位置決め精度を高くすることができるばかりか、電子写真感光体１が大型化された場合に、電子写真感光体１を回転させるために外部から回転駆動力を与える時、ならびに回転を停止するために与えていた回転駆動力を解除する時および制動力を与える時、ならびに回転時にフランジ２０に大きなトルクが発生し、ひいてはフランジ２０と円筒状基体１０との間に大きな摩擦力が発生したとしても、円筒状基体１０とフランジ２０とが摩擦力によって擦れたり振動したりすることに起因する熱によってフランジが溶けてフランジと基体とが溶着することを抑制できる。
【００９６】
また、このような構成とすることで、電子写真感光体１が回転するときに遠心力が働く方向と、第２押圧部１５が第１押圧部を押圧する方向とが同一となり、電子写真感光体１の使用によって切欠き部１３、第１押圧部１４および第２押圧部１５が変形したとしても、第１押圧部１４に対して押圧力をかけ続けることが可能であるため、位置決め面１３ａと第１主面１４ａとの間、および第２主面１４ｂと第３主面１５ａとの間に間隙が発生することを抑制できるので、円筒状基体１０とフランジ２０との位置精度を高く維持することができるばかりか、擦れや振動を抑制することが可能となる。
【００９７】
また、第１変形例と同様に、電子写真感光体２のフランジ２０が有する第４押圧部３１は、円筒状基体１０の内周面から外周面に向かう半径方向に沿って移動可能とされていてもよい。この場合には、第４押圧部３１の一対の第６主面３１ａ同士の円筒状基体１０の周方向に沿った距離は、円筒状基体１０の内周面から外周面に向かう半径方向に沿って漸次短くなっている。第１変形例と同様の効果が得られる電子写真感光体２を得ることができる。
【００９８】
なお、本例の電子写真感光体１および２では、第１押圧部１４と第２押圧部１５、第１押圧部と切欠き部１３、第３押圧部３０と第４押圧部３１および第３押圧部３０と切欠き部１３とが面接触して当接しているが、第１押圧部１４と第２押圧部１５のいずれか一方、および第３押圧部３０と第４押圧部３１のいずれか一方を円板形状に形成して点接触して当接する形状にしてもよい。しかし、この場合には、円板形状でない方の押圧部が変形しやすいため、可能な限り面接触して当接している方が好ましい。
【符号の説明】
【００９９】
１，２  電子写真感光体
１０  円筒状基体
１０ａ  端面
１０ｂ  内周面
１１  感光層
１２  位置決め部
１３  切欠き部
１３ａ  位置決め面
１４  第１押圧部
１４ａ  第１主面
１４ｂ  第２主面
１４ｃ  第１押圧外周面
１４ｄ  第１押圧内周面
１４ｅ  第１押圧奥面
１４ｆ  第１押圧手前面
１５  第２押圧部
１５ａ  第３主面
１５ｂ  第２押圧外周面
１５ｃ  第２押圧内周面
１５ｄ  第２押圧奥面
１５ｅ  第２押圧手前面
２０，ｂ２１  フランジ
２０ａ  フランジ部
２０ｂ  嵌合部
２０ｃ  軸
２０ｄ  移動手段
３０  第３押圧部
３０ａ  第４主面
３０ｂ  第５主面
３０ｃ  第３押圧外周面
３０ｄ  第３押圧内周面
３０ｅ  第３押圧奥面
３０ｆ  第３押圧手前面
３１  第４押圧部
３１ａ  第６主面
３１ｂ  第４押圧外周面
３１ｃ  第４押圧内周面
３１ｄ  第４押圧奥面
３１ｅ  第４押圧手前面
４０  移動手段
１００  画像形成装置
１１１  帯電器
１１２  露光器
１１３  現像器
１１４  転写器
１１５  定着器
１１６  クリーニング器
１１７  除電器
【図１】
2014164229.tif 000003
【図２】
2014164229.tif 000004
【図３】
2014164229.tif 000005
【図４】
2014164229.tif 000006
【図５】
2014164229.tif 000007